(57)【要約】【課題】発信要求先のアクセスポイント装置が許容数の無線端末と無線通信している場合に十分な無線通信サービスの提供ができなかった。【解決手段】発信側のアクセスポイント装置に発信要求を行った他の無線端末により指定されたコーデック方式及び発信側の無線端末に設定中のコーデック方式に基づいて決定される無線通信に必要となる全帯域量を示す発信側帯域データが、無線通信中の各無線端末に設定中のコーデック方式の変更が必要か否かを判定するための基準となる帯域量を示す第一発信側閾値データを超える場合、無線通信を保留させると共に、保留中の各無線端末に設定中のコーデック方式を、より使用帯域が少ないコーデック方式に変更すると共に、変更後、保留中の無線通信の保留を解除するようにした。【選択図】図１
2007208829.tif 000002
【特許請求の範囲】
【請求項１】
設定されたコーデック方式を使用する発信側及び着信側の無線端末の通信を中継するアクセスポイント装置と、前記通信を制御する呼制御装置とを備える無線通信システムにおいて、
前記アクセスポイント装置は、
前記設定されたコーデック方式の変更が必要か否かを判定するための基準となる帯域量を示す第一閾値データを保持する記憶部と、
他の無線端末により指定されたコーデック方式を示すコーデック方式データを付与した発信要求情報を受けると、前記指定されたコーデック方式及び前記設定されたコーデック方式に基づいて、前記発信側の無線端末及び前記他の無線端末の無線通信に必要となる全帯域量を示す発信側帯域データを取得する発信側帯域取得部と、
前記発信側帯域データが前記第一閾値データより大きいと、前記設定されたコーデック方式の変更により通信可と判定する通信可否判定部と、
前記通信可否判定部が通信可と判定すると、前記設定されたコーデック方式の変更を指示する変更指示データを更に付与した前記発信要求情報を前記呼制御装置に送信する中継通信部とを備え、
前記呼制御装置は、
前記変更指示データが付与された発信要求情報を受信すると、前記発信側及び着信側の各無線端末に対し、前記通信の保留を指示する保留指示信号を送信し、前記保留指示信号を受信した各無線端末から、保留応答情報を受信すると、前記設定されたコーデック方式よりも使用帯域量の少ないコーデック方式を示すコーデック方式データを付与した保留解除指示情報を各無線端末に送信する制御部とを備えることを特徴とする無線通信システム。
【請求項２】
設定されたコーデック方式を使用する発信側及び着信側の無線端末の通信を中継するアクセスポイント装置と、前記通信を制御する呼制御装置とを備える無線通信システムの無線通信方法において、
前記アクセスポイント装置は、
前記設定されたコーデック方式の変更が必要か否かを判定するための基準となる帯域量を示す第一閾値データを保持する記憶ステップと、
他の無線端末により指定されたコーデック方式を示すコーデック方式データを付与した発信要求情報を受けると、前記指定されたコーデック方式及び前記設定されたコーデック方式に基づいて、前記発信側の無線端末及び前記他の無線端末の無線通信に必要となる全帯域量を示す発信側帯域データを取得する発信側帯域取得ステップと、
前記発信側帯域データが前記第一閾値データより大きいと、前記設定されたコーデック方式の変更により通信可と判定する通信可否判定ステップと、
前記通信可否判定部が通信可と判定すると、前記設定されたコーデック方式の変更を指示する変更指示データを更に付与した前記発信要求情報を前記呼制御装置に送信する中継通信ステップとを備え、
前記呼制御装置は、
前記変更指示データが付与された発信要求情報を受信すると、前記発信側及び着信側の各無線端末に対し、前記通信の保留を指示する保留指示信号を送信し、前記保留指示信号を受信した各無線端末から、保留応答情報を受信すると、前記設定されたコーデック方式よりも使用帯域量の少ないコーデック方式を示すコーデック方式データを付与した保留解除指示情報を各無線端末に送信する制御ステップとを備えることを特徴とする無線通信システムの無線通信方法。
【発明の詳細な説明】
【技術分野】
【０００１】
本発明は、帯域量に応じて決定される許容数の無線端末と無線通信可能なアクセスポイント装置を有する無線通信システムに関し、特に、アクセスポイント装置の使用している帯域量に応じて、無線通信中の発信側の無線端末及び着信側の無線端末が使用するコーデック方式をそれぞれ変更する無線通信システムに関する。
【背景技術】
【０００２】
帯域量に応じて決定される許容数の無線端末と無線通信可能なアクセスポイント装置を有する無線通信システムが知られている。例えば、下記特許文献１では、帯域量に応じて決定される許容数の無線端末と無線通信を行っているアクセスポイント装置が、さらに、他の無線端末から発信要求を受けると、該他の無線端末と無線通信するために必要な帯域量の不足を検知し、発信要求を行った他の無線端末に対し、通信不可通知を行う無線通信システムが開示されている。
【特許文献１】特開２００５−２２９５９１号公報
【発明の開示】
【発明が解決しようとする課題】
【０００３】
しかしながら、上述した無線通信システムには、次のような解決すべき課題があった。即ち、他の無線端末の発信要求時、既に要求先のアクセスポイント装置が帯域量に応じて決定される許容数の無線端末と無線通信を行っていた場合、無線通信中である無線端末のいずれかとアクセスポイント装置との無線通信が終了されるまで、発信要求を行った他の無線端末は、該アクセスポイント装置を介して無線通信を行うことができず、利便性に問題があった。
【課題を解決するための手段】
【０００４】
本発明は、以上の点を解決するために、次の構成を採用する。
〈構成１〉
設定されたコーデック方式を使用する発信側及び着信側の無線端末の通信を中継するアクセスポイント装置と、前記通信を制御する呼制御装置とを備える無線通信システムにおいて、前記アクセスポイント装置は、前記設定されたコーデック方式の変更が必要か否かを判定するための基準となる帯域量を示す第一閾値データを保持する記憶部と、他の無線端末により指定されたコーデック方式を示すコーデック方式データを付与した発信要求情報を受けると、前記指定されたコーデック方式及び前記設定されたコーデック方式に基づいて、前記発信側の無線端末及び前記他の無線端末の無線通信に必要となる全帯域量を示す発信側帯域データを取得する発信側帯域取得部と、前記発信側帯域データが前記第一閾値データより大きいと、前記設定されたコーデック方式の変更により通信可と判定する通信可否判定部と、前記通信可否判定部が通信可と判定すると、前記設定されたコーデック方式の変更を指示する変更指示データを更に付与した前記発信要求情報を前記呼制御装置に送信する中継通信部とを備え、前記呼制御装置は、前記変更指示データが付与された発信要求情報を受信すると、前記発信側及び着信側の各無線端末に対し、前記通信の保留を指示する保留指示信号を送信し、前記保留指示信号を受信した各無線端末から、保留応答情報を受信すると、前記設定されたコーデック方式よりも使用帯域量の少ないコーデック方式を示すコーデック方式データを付与した保留解除指示情報を各無線端末に送信する制御部とを備えることを特徴とする。
〈構成２〉
設定されたコーデック方式を使用する発信側及び着信側の無線端末の通信を中継するアクセスポイント装置と、前記通信を制御する呼制御装置とを備える無線通信システムの無線通信方法において、前記アクセスポイント装置は、前記設定されたコーデック方式の変更が必要か否かを判定するための基準となる帯域量を示す第一閾値データを保持する記憶ステップと、他の無線端末により指定されたコーデック方式を示すコーデック方式データを付与した発信要求情報を受けると、前記指定されたコーデック方式及び前記設定されたコーデック方式に基づいて、前記発信側の無線端末及び前記他の無線端末の無線通信に必要となる全帯域量を示す発信側帯域データを取得する発信側帯域取得ステップと、前記発信側帯域データが前記第一閾値データより大きいと、前記設定されたコーデック方式の変更により通信可と判定する通信可否判定ステップと、前記通信可否判定部が通信可と判定すると、前記設定されたコーデック方式の変更を指示する変更指示データを更に付与した前記発信要求情報を前記呼制御装置に送信する中継通信ステップとを備え、前記呼制御装置は、前記変更指示データが付与された発信要求情報を受信すると、前記発信側及び着信側の各無線端末に対し、前記通信の保留を指示する保留指示信号を送信し、前記保留指示信号を受信した各無線端末から、保留応答情報を受信すると、前記設定されたコーデック方式よりも使用帯域量の少ないコーデック方式を示すコーデック方式データを付与した保留解除指示情報を各無線端末に送信する制御ステップとを備えることを特徴とする。
【発明の効果】
【０００５】
本発明の無線通信システムでは、発信側のアクセスポイント装置に発信要求を行った他の無線端末により指定されたコーデック方式及び発信側の無線端末に設定中のコーデック方式に基づいて決定される無線通信に必要となる全帯域量を示す発信側帯域データが、無線通信中の各無線端末に設定中のコーデック方式の変更が必要か否かを判定するための基準となる帯域量を示す第一発信側閾値データを超える場合、通信を保留させると共に、保留中の各無線端末に設定中のコーデック方式を、より使用帯域が少ないコーデック方式に変更すると共に、変更後、保留中の無線通信の保留を解除するようにしたので、以降、各無線端末が変更後の使用帯域が少ないコーデック方式を使用して無線通信を継続することで、発信側及び着信側の各アクセスポイント装置が無線通信に使用していた帯域を削減することができる。従って、更に、新たな他の無線端末からの発信要求を受け付けることができる利便性の高い無線通信システムを提供することができる。
【発明を実施するための最良の形態】
【０００６】
以下、本発明の一実施形態を図を用いて詳細に説明する。
【実施例】
【０００７】
〈実施例の構成〉
図１は、本発明の無線通信システムを示すブロック構成図である。
【０００８】
図１に示すように、本実施例の無線通信システムは、呼制御装置１０、アクセスポイント装置２０、３０、他の無線端末４０、５０、複数の無線端末６０、ネットワーク８０から構成されている。
【０００９】
ネットワーク８０は、呼制御装置１０及びアクセスポイント装置２０、３０間を接続する通信回線である。
【００１０】
他の無線端末４０は、発信側の無線電話機であり、制御部４１、記憶部４２、コーデック部４３、発信側通信部４４、発信側方式設定部４５を有している。
【００１１】
記憶部４２は、ＨＤＤ等のメモリであり、端末識別データが格納されている。この端末識別データとは、例えば、電話番号等のような自己を識別するためのデータである。
【００１２】
この他の無線端末４０は、従来と同様に、後述するように、自己の位置を呼制御装置１０に管理させるべく、無線通信の際に中継すべきアクセスポイント装置に対して、記憶部４２の端末識別データを定期的に送信している。
【００１３】
他の無線端末５０は、着信側の無線電話機であり、制御部５１、記憶部５２、コーデック部５３、着信側通信部５４、着信側方式設定部５５を有している。
【００１４】
記憶部５２は、ＨＤＤ等のメモリであり、端末識別データが格納されている。この端末識別データとは、例えば、電話番号等のような自己を識別するためのデータである。
【００１５】
この他の無線端末５０は、従来と同様に、後述するように、自己の位置を呼制御装置１０に管理させるべく、無線通信の際に中継すべきアクセスポイント装置に対して、記憶部５２の端末識別データを定期的に送信している。
【００１６】
アクセスポイント装置２０は、各無線端末および呼制御装置１０間を中継する装置であり、制御部２１、記憶部２２、発信側帯域取得部２３、発信側通信可否判定部２４、発信側中継通信部２５、発信側更新可否判定部２６、発信側データ更新部２７を有している。
【００１７】
記憶部２２は、ＨＤＤ等のメモリであり、装置識別データ、第一発信側閾値データ、第二発信側閾値データ、方式変更状況データ、使用帯域データ、方式帯域量対応テーブルがそれぞれ格納されている。
【００１８】
装置識別データとは、例えば、ＩＰアドレス等のような自己を識別するためのデータである。
【００１９】
方式変更状況データは、アクセスポイント装置２０がコーデック方式の変更状況を「未変更」、「変更中」のいずれかで示すデータであり、初期設定では、「未変更」を示している。
【００２０】
第一発信側閾値データは、各無線端末のコーデック方式の変更をすべきか否かを判定するための閾値となる帯域量を示すデータである。
【００２１】
第二発信側閾値データは、各無線端末からの発信要求を制限すべきか否かを判定するための閾値となる帯域量を示すデータである。
【００２２】
使用帯域データは、現在、アクセスポイント装置２０を介して無線通信を行っている各無線端末が使用している帯域量の合計を示すデータであり、後述するように、発信側データ更新部２７により更新される。
【００２３】
方式帯域量対応テーブルは、コーデック方式を示すコーデック方式データ毎に、使用する帯域量を示す帯域量データが対応付けられたテーブルであり、例えば、コーデック方式（Ｇ．７１１）を示すコーデック方式データに対して帯域量（６４ｋ）を示す帯域量データ、コーデック方式（Ｇ．７２９）を示すコーデック方式データに対して帯域量（８ｋ）を示す帯域量データが対応付けられる。
【００２４】
このアクセスポイント装置２０は、従来と同様に、自己が無線通信管理する各無線端末から、無線端末の電話番号等を示す端末識別データを受信すると、受信した端末識別データ及び記憶部２２の装置識別データを呼制御装置１０に送信する。これにより、呼制御装置１０は、後述するように、端末識別データが示す無線端末がアクセスポイント装置２０を介して無線通信可能であることを特定することができる。
【００２５】
アクセスポイント装置３０は、各無線端末および呼制御装置１０間を中継する装置であり、制御部３１、記憶部３２、着信側帯域取得部３３、着信側通信可否判定部３４、着信側中継通信部３５、着信側更新可否判定部３６、着信側データ更新部３７を有している。
【００２６】
記憶部３２は、ＨＤＤ等のメモリであり、装置識別データ、第一着信側閾値データ、第二着信側閾値データ、方式変更状況データ、使用帯域データ、方式帯域量対応テーブルがそれぞれ格納されている。
【００２７】
装置識別データとは、例えば、ＩＰアドレス等のような自己を識別するためのデータである。
【００２８】
方式変更状況データは、アクセスポイント装置３０がコーデック方式の変更状況を「未変更」、「変更中」のいずれかで示すデータであり、初期設定では、「未変更」を示している。
【００２９】
第一着信側閾値データは、アクセスポイント装置が使用している帯域量により、各無線端末のコーデック方式の変更をすべきか否かを判定するための閾値となる帯域量を示すデータである。
【００３０】
第二着信側閾値データは、アクセスポイント装置が使用している帯域量により、各無線端末からの発信要求を制限すべきか否かを判定するための閾値となる帯域量を示すデータである。
【００３１】
使用帯域データは、現在、アクセスポイント装置３０を介して無線通信を行っている各無線端末が使用している帯域量の合計を示すデータであり、後述するように、着信側データ更新部３７により更新される。
【００３２】
方式帯域量対応テーブルは、コーデック方式を示すコーデック方式データ毎に、使用する大域量を示す帯域量データが対応付けられたテーブルであり、例えば、コーデック方式（Ｇ．７１１）を示すコーデック方式データに対して帯域量（６４ｋ）を示す帯域量データ、コーデック方式（Ｇ．７２９）を示すコーデック方式データに対して帯域量（８ｋ）を示す帯域量データが対応付けられる。
【００３３】
このアクセスポイント装置３０は、従来と同様に、自己が無線通信管理する各無線端末から、無線端末の電話番号等を示す端末識別データを受信すると、受信した端末識別データ及び記憶部３２の装置識別データを呼制御装置１０に送信する。これにより、呼制御装置１０は、後述するように、端末識別データが示す無線端末がアクセスポイント装置３０を介して無線通信可能であることを特定することができる。
【００３４】
呼制御装置１０は、各無線端末間の無線通信確立を行う装置であり、制御部１１、記憶部１２、変更要否判定部１３、装置特定部１４、変更制御部１５、通信制御部１６を有している。
【００３５】
記憶部１２は、ＨＤＤ等のメモリであり、方式変更対応テーブル、方式変更解除対応テーブル、端末装置間対応リストデータ、通信方式管理テーブルがそれぞれ格納されている。
【００３６】
方式変更対応テーブルは、コーデック方式データ毎に、変更対象として該コーデック方式データよりも使用帯域の少ないコーデック方式データが対応付けられたテーブルであり、例えば、固定電話と同等の音質のコーデック方式（Ｇ．７１１（＝６４ｋ））を示すコーデック方式データに対し、変更対象として、該コーデック方式データ（Ｇ．７１１（＝６４ｋ））より使用帯域の少ない携帯電話と同等の音質のコーデック方式（Ｇ．７２９（＝８ｋ））を示すコーデック方式データが対応付けられる。
【００３７】
方式変更解除対応テーブルは、コーデック方式データ毎に、変更対象として該コーデック方式データよりも使用帯域の大きいコーデック方式データが対応付けられたテーブルであり、例えば、携帯電話と同等の音質のコーデック方式（Ｇ．７２９（＝８ｋ））を示すコーデック方式データに対し、変更解除対象として、該コーデック方式データ（Ｇ．７２９（＝８ｋ））より使用帯域の大きい固定電話と同等の音質のコーデック方式（Ｇ．７１１（＝６４ｋ））を示すコーデック方式データが対応付けられる。
【００３８】
端末装置間対応リストデータは、呼制御装置１０が各無線端末との無線通信に中継すべきアクセスポイント装置を特定するためのデータであり、従来と同様に、上述したように、各アクセスポイント装置２０、３０から各無線端末の端末識別データおよび装置識別データを受信する毎に、受信した各無線端末の端末識別データおよび装置識別データに基づいて更新される。
【００３９】
本実施例では、記憶部１２には、他の無線端末４０を示す端末識別データ、無線端末６０を示す端末識別データに対してアクセスポイント装置２０を示す装置識別データがそれぞれ対応付けられ、他の無線端末５０を示す端末識別データ、無線端末６０を示す端末識別データに対してアクセスポイント装置３０を示す装置識別データがそれぞれ対応付けられた端末装置間対応リストデータが格納されていることとする。
【００４０】
通信方式管理テーブルは、呼制御装置１０が現在無線通信中の各無線端末６０の使用しているコーデック方式を特定するためのテーブルであり、現在無線通信中の各無線端末６０を示す端末識別データ毎に、使用中のコーデック方式を示すコーデック方式データが対応付けられたテーブルである。本実施例では、この通信方式管理テーブルは、後述するように、制御部１１によって更新される。
【００４１】
無線端末６０は、アクセスポイント装置２０及びアクセスポイント装置３０のいずれかを介して無線通信中の無線電話機であり、制御部６１、コーデック部６２、通信部６３、方式設定部６４、保留制御部６５を有している。
【００４２】
以下、本実施例における呼制御装置１０、アクセスポイント装置２０、３０、他の無線端末４０、５０、無線端末６０の相互関連について説明を行う。
【００４３】
本実施例では、複数の無線端末６０がＧ．７１１のコーデック方式を使用して無線通信中であり、アクセスポイント装置２０の記憶部２２の方式変更状況データは「未変更」を示していることとする。また、アクセスポイント装置３０の記憶部３２の方式変更状況データも「未変更」を示していることとする。
【００４４】
まず、複数の無線端末６０と無線通信しているアクセスポイント装置２０に対して、他の無線端末４０が他の無線端末５０と無線通信すべく、Ｇ．７１１のコーデック方式を示すコーデック方式データ及び他の無線端末５０を示す端末識別データを付与した発信要求情報を送信した場合について説明を行う。
【００４５】
他の無線端末４０の制御部４１は、いわゆるＣＰＵとして、他の無線端末４０を制御する部であり、発信者が図示しない入力部を介して、他の無線端末５０の電話番号を示す端末識別データ及びＧ．７１１のコーデック方式を示すコーデック方式データを入力し、発信要求を指示すると、端末識別データ及びコーデック方式データを発信側通信部４４に転送する。
【００４６】
発信側通信部４４は、無線通信可能なアクセスポイント装置とのデータ通信を行う部であり、端末識別データ及びコーデック方式データを受けると、端末識別データ及びコーデック方式データを付与した発信要求情報をアクセスポイント装置２０に送信する。
【００４７】
アクセスポイント装置２０の制御部２１は、いわゆるＣＰＵとして、アクセスポイント装置２０を制御する部であり、発信要求情報を受信すると、発信要求情報を図示しないメモリに一時格納すると共に、新規に発信要求を行った無線端末を含めた通信に必要な全帯域量を示す発信側帯域データを取得すべく、発信要求情報を発信側帯域取得部２３に転送する。
【００４８】
発信側帯域取得部２３は、発信側帯域データを取得する部であり、図示しないメモリに下記発信側帯域量算出式を保持している。
【００４９】
発信側帯域量算出式＝ＮＴ＋ＳＴ・・・（１）
【００５０】
但し、ＮＴ：新規の無線端末が通信に必要な帯域量データ、ＳＴ：使用帯域データ。
【００５１】
発信側帯域取得部２３は、発信要求情報を受けると、まず、発信要求情報に付与されたコーデック方式データに基づいて、記憶部２２の方式帯域量対応テーブルを参照し、対応する帯域量データを特定すると共に、記憶部２２から使用帯域データを取得する。そして、発信側帯域取得部２３は、特定した帯域量データ及び取得した使用帯域データを上記式（１）に適用し、発信側帯域データを取得する。
【００５２】
発信側通信可否判定部２４は、使用する帯域量に応じて通信可否を判定する部であり、発信側帯域取得部２３が発信側帯域データを取得すると、まず、記憶部２２の方式変更状況データを参照し、発信側帯域データと比較すべき閾値データ（＝第一発信側閾値データまたは第二発信側閾値データ）を決定する。即ち、方式変更状況データが「未変更」を示していると、帯域データの比較対象を第一発信側閾値データと決定し、「変更中」を示していると、比較対象を第二発信側閾値データと決定する。
【００５３】
本実施例では、方式変更状況データが「未変更」を示していることから、帯域データの比較対象が第一発信側閾値データと決定される。
【００５４】
発信側通信可否判定部２４が比較対象を第一発信側閾値データと決定すると、発信側帯域データと決定した第一発信側閾値データとの比較を開始し、発信側帯域データの示す帯域量が第一発信側閾値データの示す帯域量よりも小さいと、通信可と判定し、発信側帯域データの示す帯域量が第一発信側閾値データの示すそれよりも大きいと、Ｇ．７２９のコーデック方式変更により通信可と判定する。
【００５５】
発信側データ更新部２７は、記憶部２２の各データを更新する部であり、発信側通信可否判定部２４が通信可と判定すると、メモリの発信要求情報に付与されているコーデック方式データに基づいて、記憶部２２の方式帯域量対応テーブルを参照し、対応する帯域量データを特定すると共に、特定された帯域量データが示す帯域量を使用帯域データに加算して使用帯域データを更新する。
【００５６】
一方、発信側データ更新部２７は、発信側通信可否判定部２４がＧ．７２９のコーデック方式変更により通信可と判定すると、上記した使用帯域データの更新を行うと共に、記憶部２２の方式変更状況データを「未変更」から「変更中」に更新する。
【００５７】
発信側中継通信部２５は、各無線端末と呼制御装置１０との中継を行う部であり、発信側データ更新部２７が使用帯域データのみを更新すると、メモリの発信要求情報を呼制御装置１０に送信し、発信側データ更新部２７が使用帯域データ及び方式変更状況データを更新すると、コーデック方式の変更指示するための変更指示データを付与した発信要求情報を呼制御装置１０に送信する。本実施例では、変更指示データが付与された発信要求情報が呼制御装置１０に送信される。
【００５８】
尚、例えば、記憶部２２の方式変更状況データが「変更中」の場合に図示しない他の無線端末から、新たに発信要求がアクセスポイント装置２０に対して行われると、発信側通信可否判定部２４は、取得される発信側帯域データとの比較対象を第二発信側閾値データと決定すると共に、発信側帯域データと第二発信側閾値データとの比較を開始し、発信側帯域データの示す帯域量が第二発信側閾値データの示す帯域量よりも小さいと、通信可と判定し、発信側帯域データの示す帯域量が第二発信側閾値データの示す帯域量よりも大きいと、通信不可と判定する。
【００５９】
発信側データ更新部２７は、発信側通信可否判定部２４が通信可と判定すると、発信要求情報に付与されているコーデック方式データに基づいて、記憶部２２の方式帯域量対応テーブルを参照し、対応する帯域量データを特定すると共に、特定された帯域量データが示す帯域量を使用帯域データに加算して使用帯域データのみを更新する。
【００６０】
発信側中継通信部２５は、発信側データ更新部２７が使用帯域データのみを更新すると、受け付けた発信要求情報を呼制御装置１０に送信する。以降、従来と同様に、無線通信制御が実行される。
【００６１】
一方、通信不可と判定すると、従来と同様に、帯域不足により通信不可を示す通信不可データを発信元の他の無線端末に送信する。
【００６２】
発信元の他の無線端末は、通信不可データを受信すると、例えば、図示しないスピーカ等の出力部を介して通信不可データに基づく音声出力等を行う。これにより、発信元の他の無線端末の利用者は、帯域不足により通信不可であることを把握することができる。
【００６３】
呼制御装置１０の制御部１１は、いわゆるＣＰＵとして、呼制御装置１０を統括制御する部であり、発信要求情報を受信すると、まず、発信要求情報を変更要否判定部１３に転送する。
【００６４】
変更要否判定部１３は、各無線端末に設定されているコーデック方式の変更が必要か否かを判定する部であり、受信した発信要求情報に変更指示データが付与されていると、コーデック方式の変更要と判定し、付与されていないと、変更不要と判定する。本実施例では、変更指示データが付与された発信要求情報を受信することから、変更要否判定部１３は変更要と判定する。
【００６５】
ここで、まず、他の無線端末４０及び５０に対するコーデック方式データの変更制御が行われるまでについて説明を行う。
【００６６】
制御部１１は、変更要否判定部１３が変更要と判定すると、発信要求情報を変更制御部１５に転送する。
【００６７】
変更制御部１５は、コーデック方式データの変更を行う部であり、発信要求情報を受けると、発信要求情報に付与されているコーデック方式データに基づいて、記憶部１２の方式変更対応テーブルを参照し、変更対象となる使用帯域の少ない符号化データを特定すると共に、特定されたコーデック方式データを発信要求情報に付与する。
【００６８】
即ち、本実施例では、発信要求情報にＧ．７１１（＝６４ｋ）を示すコーデック方式データが付与されていることから、変更制御部１５は、コーデック方式データ（Ｇ．７１１（＝６４ｋ））に基づいて、記憶部１２の方式変更対応テーブルを参照し、使用帯域の少ないＧ．７２９（＝８ｋ）を示すコーデック方式データを特定すると共に、特定したＧ．７２９（＝８ｋ）を示すコーデック方式データを発信要求情報に付与する。
【００６９】
制御部１１は、変更制御部１５がコーデック方式データの変更を完了すると、該コーデック方式データが付与された発信要求情報を装置特定部１４に転送する。
【００７０】
尚、変更要否判定部１３がコーデック方式の変更不要と判定すると、制御部１１は、受け付けた発信要求情報を装置特定部１４に転送する。
【００７１】
装置特定部１４は、発信要求先の無線端末を通信可能に管理しているアクセスポイント装置を特定する部であり、発信要求情報を受けると、発信要求情報に付与された端末識別データに基づいて、記憶部１２の端末装置間対応リストデータを参照し、対応する装置識別データを特定する。
【００７２】
本実施例では、他の無線端末５０を示す端末識別データが付与された発信要求情報を受信することから、アクセスポイント装置３０を示す装置識別データが特定される。
【００７３】
制御部１１は、装置特定部１４が装置識別データを特定すると、特定された装置識別データ及び発信要求情報に付与されているコーデック方式データを通信制御部１６に転送する。
【００７４】
通信制御部１６は、各無線端末間の通信を制御する部であり、装置識別データ及びコーデック方式データを受けると、装置識別データに基づくアクセスポイント装置に対し、該コーデック方式データを付与した着信要求情報を送信する。
【００７５】
本実施例では、通信制御部１６により、コーデック方式データ（Ｇ．７２９）が付与された着信要求情報がアクセスポイント装置３０に送信される。
【００７６】
アクセスポイント装置３０の制御部３１は、いわゆるＣＰＵとして、アクセスポイント装置３０を統括制御する部であり、着信要求情報を受信すると、着信要求情報を図示しないメモリに一時格納すると共に、新規に発信要求を行った無線端末を含めた通信に必要な全帯域量を示す着信側帯域データを取得すべく、着信要求情報を着信側帯域取得部３３に転送する。
【００７７】
着信側帯域取得部３３は、着信側帯域データを取得する部であり、図示しないメモリに下記着信側帯域量算出式を保持している。
【００７８】
着信側帯域量算出式＝ＮＴ＋ＳＴ・・・（２）
【００７９】
但し、ＮＴ：新規の無線端末が通信に必要な帯域量データ、ＳＴ：使用帯域データ。
【００８０】
着信側帯域取得部３３は、着信要求情報を受けると、まず、着信要求情報に付与されたコーデック方式データに基づいて、記憶部３２の方式帯域量対応テーブルを参照し、対応する帯域量データを特定すると共に、記憶部３２から使用帯域データを取得する。そして、着信側帯域取得部３３は、特定した帯域量データ及び取得した使用帯域データを上記式（２）に適用し、着信側帯域データを取得する。
【００８１】
着信側通信可否判定部３４は、使用する帯域量に応じて通信可否を判定する部であり、着信側帯域取得部３３が着信側帯域データを取得すると、まず、記憶部３２の方式変更状況データを参照し、着信側帯域データと比較すべき閾値データ（＝第一着信側閾値データまたは第二着信側閾値データ）を決定する。即ち、方式変更状況データが「未変更」を示していると、着信側帯域データの比較対象を第一着信側閾値データと決定し、「変更中」を示していると、比較対象を第二着信側閾値データと決定する。
【００８２】
本実施例では、方式変更状況データが「未変更」を示していることから、比較対象が第一着信側閾値データと決定される。
【００８３】
着信側通信可否判定部３４が比較対象を第一着信側閾値データと決定すると、着信側帯域データと決定した第一着信側閾値データとの比較を開始し、着信側帯域データの示す帯域量が第一着信側閾値データの示す帯域量よりも小さいと、通信可と判定し、着信側帯域データの示す帯域量が第一着信側閾値データの示す帯域量よりも大きいと、コーデック方式変更により通信可と判定する。
【００８４】
着信側データ更新部３７は、着信側通信可否判定部３４が通信可と判定すると、上記と同様に、使用帯域データのみを更新し、着信側通信可否判定部３４がコーデック方式変更により通信可と判定すると、上記と同様に、使用帯域データの更新を行うと共に、記憶部３２の方式変更状況データを「未変更」から「変更中」に更新する。
【００８５】
着信側中継通信部３５は、着信側データ更新部３７が使用帯域データのみを更新すると、メモリの着信要求情報を他の無線端末５０に送信し、着信側データ更新部３７が方式変更状況データを「変更中」に更新すると、呼制御装置１０にコーデック方式の変更を指示すべく、メモリの着信要求情報に付与されたコーデック方式データを含む変更指示情報を呼制御装置１０に送信する。
【００８６】
呼制御装置１０の制御部１１は、変更指示情報を受信すると、変更指示情報を変更制御部１５に転送する。
【００８７】
変更制御部１５は、変更指示情報を受けると、変更指示情報に含まれているコーデック方式データに基づいて、記憶部１２の方式変更対応テーブルを参照し、変更対象となる使用帯域の少ない符号化データを特定すると共に、特定されたコーデック方式データを付与した着信要求情報を通信制御部１６に転送し、通信制御部１６は、受信した着信要求情報をアクセスポイント装置３０に送信し、アクセスポイント装置３０の制御部３１は、着信要求情報を受信すると、受信した着信要求情報を他の無線端末５０に送信する。
【００８８】
本実施例では、着信側データ更新部３７が使用帯域データのみを更新することから、メモリの着信要求情報が他の無線端末５０に送信される。
【００８９】
尚、例えば、記憶部３２の方式変更状況データが「変更中」の場合に図示しない他の無線端末から、新たに着信要求がアクセスポイント装置３０に対して行われると、着信側通信可否判定部３４は、取得される着信側帯域データとの比較対象を第二着信側閾値データと決定すると共に、着信側帯域データと第二着信側閾値データとの比較を開始し、着信側帯域データの示す帯域量が第二着信側閾値データの示す帯域量よりも小さいと、通信可と判定し、着信側帯域データの示す帯域量が第二着信側閾値データの示す帯域量よりも大きいと、通信不可と判定する。
【００９０】
着信側データ更新部３７は、着信側通信可否判定部３４が通信可と判定すると、着信要求情報に付与されているコーデック方式データに基づいて、記憶部３２の方式帯域量対応テーブルを参照し、対応する帯域量データを特定すると共に、特定された帯域量データが示す帯域量を使用帯域データに加算して使用帯域データのみを更新する。
【００９１】
着信側中継通信部３５は、着信側データ更新部３７が使用帯域データを更新すると、受け付けた着信要求情報を発信先となる他の無線端末に送信する。以降、従来と同様に無線通信制御が動作される。
【００９２】
一方、通信不可と判定すると、従来と同様に、帯域不足により通信不可を示す通信不可データを呼制御装置１０に送信する。
【００９３】
呼制御装置１０の制御部１１は、通信不可データを受信すると、受信した通信不可データを通信制御部１６に転送し、通信制御部１６は、受信した通信不可データをアクセスポイント装置２０に送信する。
【００９４】
アクセスポイント装置２０の制御部２１は、通信不可データを受信すると、受信した通信不可データを発信側中継通信部２５に転送し、発信側中継通信部２５は、受信した通信不可データを発信元の他の無線端末に送信する。
【００９５】
発信元の他の無線端末は、通信不可データを受信すると、例えば、図示しないスピーカ等の出力部を介して通信不可データに基づく音声出力等を行う。これにより、発信元の他の無線端末の利用者は、帯域不足により通信不可であることを把握することができる。
【００９６】
他の無線端末５０の制御部５１は、いわゆるＣＰＵとして、他の無線端末５０を統括制御する部であり、着信要求情報を受信すると、着信要求情報に付与されたコーデック方式データ（Ｇ．７２９）を着信側方式設定部５５に転送する。
【００９７】
着信側方式設定部５５は、使用すべきコーデック方式をコーデック部５３に設定する部であり、コーデック方式データ（Ｇ．７２９）を受けると、図示しないメモリにコーデック方式データを一時格納すると共に、コーデック方式データに基づいたコーデック方式をコーデック部５３に設定する。
【００９８】
制御部５１は、着信側方式設定部５５がコーデック方式（Ｇ．７２９）をコーデック部５３に設定すると、メモリのコーデック方式データを着信側通信部５４に転送する。
【００９９】
着信側通信部５４は、無線通信可能なアクセスポイント装置とのデータ通信を行う部であり、コーデック方式データ（Ｇ．７２９）を受けると、コーデック方式データを付与した着信応答情報をアクセスポイント装置３０に送信する。
【０１００】
アクセスポイント装置３０の制御部３１は、着信応答情報を受信すると、着信応答情報を着信側中継通信部３５に転送し、着信側中継通信部３５は、受信した着信応答情報を呼制御装置１０に送信する。
【０１０１】
呼制御装置１０の制御部１１は、着信応答情報を受信すると、着信応答情報を通信制御部１６に転送し、通信制御部１６は、受信した着信応答情報をアクセスポイント装置２０に送信する。
【０１０２】
アクセスポイント装置２０の制御部２１は、着信応答情報を受信すると、受信した着信応答情報を他の無線端末４０に送信する。
【０１０３】
他の無線端末４０の制御部４１は、着信応答情報を受信すると、着信応答情報に付与されたコーデック方式データ（Ｇ．７２９）を発信側方式設定部４５に転送する。
【０１０４】
発信側方式設定部４５は、使用すべきコーデック方式をコーデック部４３に設定する部であり、コーデック方式データ（Ｇ．７２９）を受けると、コーデック方式データに基づいたコーデック方式（Ｇ．７２９）をコーデック部４３に設定する。以降、他の無線端末４０は、コーデック部４３に設定されたコーデック方式（Ｇ．７２９）により、アクセスポイント装置２０を介して他の無線端末５０と無線通信を行うことができる。
【０１０５】
このように、アクセスポイント装置２０において、発信側帯域データが第一発信側閾値データを超える場合、発信要求情報に付与されているコーデック方式データを、該コーデック方式データよりも使用帯域の少ないコーデック方式データに変更すると共に、アクセスポイント装置３０において、着信側帯域データが第一着信側閾値データを超える場合、着信要求情報に付与されているコーデック方式データを、該コーデック方式データよりも使用帯域の少ないコーデック方式データに変更し、かつ他の無線端末４０及び５０のコーデック部４３、５３に対し、変更されたコーデック方式データが示すコーデック方式をそれぞれ設定するようにしたので、以降、他の無線端末４０及び他の無線端末５０がそれぞれ設定された使用帯域の少ないコーデック方式データが示すコーデック方式（Ｇ．７２９）を使用することでアクセスポイント装置２０、３０を介して無線通信を行うことができる。
【０１０６】
引き続き、現在無線通信中の無線端末６０に対するコーデック方式の変更制御が行われるまでについて説明を行う。
【０１０７】
呼制御装置１０の制御部１１は、上記したように無線端末４０、５０の接続制御を終了すると、引き続き、現在無線通信中の全ての無線端末６０に対して、使用しているコーデック方式の変更（Ｇ．７１１からＧ．７２９）を指示すべく、記憶部１２の通信方式管理テーブルを参照し、現在無線通信中の各無線端末６０を示す端末識別データを取得する毎に、取得した端末識別データを装置特定部１４に転送する。
【０１０８】
呼制御装置１０の装置特定部１４は、取得された現在無線通信中の無線端末６０を示す端末識別データを受ける毎に、記憶部１２の端末装置間対応リストデータを参照し、現在無線通信中の各無線端末６０に対応する装置識別データを特定する。
【０１０９】
本実施例では、各無線端末６０に対して、アクセスポイント装置２０及びアクセスポイント装置３０のいずれかを示す装置識別データが特定される。
【０１１０】
制御部１１は、装置特定部１４が装置識別データを特定する毎に、特定された装置識別データ及び現在の無線通信の保留を指示する保留指示信号を通信制御部１６に転送する。
【０１１１】
通信制御部１６は、装置識別データ及び保留指示信号を受けると、装置識別データに基づくアクセスポイント装置に対して保留指示信号を送信する。即ち、本実施例では、アクセスポイント装置２０及びアクセスポイント装置３０のいずれかに対して保留指示信号が送信される。
【０１１２】
アクセスポイント装置２０及びアクセスポイント装置３０の制御部２１、３１は、それぞれ保留指示信号を受信すると、発信側中継通信部２５、着信側中継通信部３５を介して各無線端末６０に対して保留指示信号を送信する。
【０１１３】
各無線端末６０の制御部６１は、いわゆるＣＰＵとして、各無線端末６０を統括制御する部であり、アクセスポイント装置２０及びアクセスポイント装置３０のいずれかから保留指示信号を受信すると、保留指示信号を保留制御部６５に転送する。
【０１１４】
保留制御部６５は、無線通信の保留を制御する部であり、保留指示信号を受けると、無線通信を保留すると共に、使用していたコーデック方式（Ｇ．７１１）を示すコーデック方式データを付与した保留応答情報を発信元であるアクセスポイント装置２０及びアクセスポイント装置３０のいずれかに送信する。
【０１１５】
アクセスポイント装置２０及びアクセスポイント装置３０の制御部２１、３１は、それぞれ保留応答情報を受信すると、保留応答情報を発信側中継通信部２５、着信側中継通信部３５を介して呼制御装置１０に送信する。
【０１１６】
呼制御装置１０の制御部１１は、各無線端末６０から保留応答情報を受信する毎に、保留応答情報を変更制御部１５に送信する。
【０１１７】
変更制御部１５は、保留応答情報を受ける毎に、付与されているコーデック方式データ（Ｇ．７１１）に基づいて、記憶部１２の方式変更対応テーブルを参照し、変更対象となる使用帯域の少ない符号化データ（Ｇ．７２９）を特定すると共に、特定されたコーデック方式データ（Ｇ．７２９）を付与した保留解除指示情報を生成する。
【０１１８】
制御部１１は、変更制御部１５が保留解除指示情報を生成する毎に、生成された保留解除指示情報を通信制御部１６に転送する。
【０１１９】
即ち、保留応答情報にＧ．７１１（＝６４ｋ）を示すコーデック方式データが付与されていることから、変更制御部１５は、コーデック方式データ（Ｇ．７１１（＝６４ｋ））に基づいて、記憶部１２の方式変更対応テーブルを参照し、使用帯域の少ないＧ．７２９（＝８ｋ）を示すコーデック方式データを特定すると共に、特定したＧ．７２９（＝８ｋ）を示すコーデック方式データを付与した保留解除指示情報を生成する。
【０１２０】
制御部１１は、変更制御部１５が保留解除指示情報を生成する毎に、保留解除指示情報をアクセスポイント装置に対して送信する。即ち、本実施例では、保留応答情報を中継したアクセスポイント装置２０及びアクセスポイント装置３０のいずれかに対して保留解除指示情報が送信される。
【０１２１】
アクセスポイント装置２０及びアクセスポイント装置３０の制御部２１、３１は、それぞれ保留解除指示情報を受信すると、保留解除指示情報を発信側中継通信部２５、着信側中継通信部３５を介して各無線端末６０に対して送信する。
【０１２２】
各無線端末６０の制御部６１は、保留解除指示情報を受信すると、付与されているコーデック方式データ（Ｇ．７２９）を方式設定部６４に転送する。
【０１２３】
方式設定部６４は、使用すべきコーデック方式をコーデック部６２に設定する部であり、コーデック方式データ（Ｇ．７２９）を受けると、該コーデック方式データに基づいたコーデック方式をコーデック部６２に設定する。
【０１２４】
制御部６１は、方式設定部６４がコーデック方式をコーデック部６２に設定すると、設定が完了したことを示す設定完了信号を保留制御部６５に転送し、設定完了信号を受けた保留制御部６５は、保留中である無線通信の保留を解除する。以降、各無線端末６０は、使用していたコーデック方式（Ｇ．７１１）よりも使用帯域の少ないコーデック方式（Ｇ．７２９）により無線通信を継続させることができる。
【０１２５】
このように、アクセスポイント装置２０において、発信側帯域データが第一発信側閾値データよりも大きい場合、現在無線通信中の各無線端末６０の無線通信を保留すると共に、保留中の各無線端末６０が使用しているコーデック方式（Ｇ．７１１）を、より使用帯域が少ないコーデック方式（Ｇ．７２９）に変更すると共に、変更後、保留中の無線通信の保留を解除し、各無線端末６０に変更後のコーデック方式（Ｇ．７２９）を使用して無線通信を継続させるようにしたので、アクセスポイント装置２０が無線通信に使用していた帯域を削減することができる。従って、更に、新たな他の無線端末からの発信要求を受け付けることができる。
【０１２６】
引き続き、上記したように、変更されたコーデック方式を使用して無線通信をしている他の無線端末４０、他の無線端末５０、無線端末６０のコーデック方式が変更解除される場合について説明を行う。
【０１２７】
本実施例では、他の無線端末４０が他の無線端末５０との通信を切断すべく、アクセスポイント装置２０に対して、使用していたコーデック方式（Ｇ．７２９）を示すコーデック方式データ及び他の無線端末５０を示す端末識別データを付与した切断要求情報を送信した場合に無線通信中の複数の無線端末６０に対して、使用中のコーデック方式（Ｇ．７２９）の変更が解除され、変更前のコーデック方式（Ｇ．７１１）が設定されるまでについて説明を行う。
【０１２８】
アクセスポイント装置２０の制御部２１が、例えば、他の無線端末４０から、使用していたコーデック方式（Ｇ．７２９）を示すコーデック方式データ及び他の無線端末５０を示す端末識別データを付与した切断要求情報を受信すると、切断要求情報を図示しないメモリに一時格納すると共に、切断要求された無線端末の使用していた帯域量を除く全帯域量を示す発信側削減帯域データを取得すべく、切断要求情報を発信側帯域取得部２３に転送する。
【０１２９】
発信側帯域取得部２３は、図示しないメモリに下記発信側削減帯域量算出式を保持している。
【０１３０】
発信側削減帯域量算出式＝ＳＴ−ＢＴ・・・（３）
【０１３１】
但し、ＳＴ：使用帯域データ、ＢＴ：切断対象の無線端末が使用していた帯域量データ。
【０１３２】
発信側帯域取得部２３は、切断要求情報を受けると、まず、切断要求情報に付与されたコーデック方式データに基づいて、記憶部２２の方式帯域量対応テーブルを参照し、対応する帯域量データを特定すると共に、記憶部２２から使用帯域データを取得する。そして、発信側帯域取得部２３は、特定した帯域量データ及び取得した使用帯域データを上記式（３）に適用し、発信側削減帯域データを取得する。
【０１３３】
発信側更新可否判定部２６は、使用する帯域量に応じて方式変更状況データの更新可否を判定する部であり、発信側帯域取得部２３が発信側削減帯域データを取得すると、発信側削減帯域データと記憶部２２の第二発信側閾値データとを比較し、発信側削減帯域データの示す帯域量が第二発信側閾値データの示す帯域量よりも小さいと、更新可と判定し、発信側削減帯域データの示す帯域量が第二発信側閾値データの示す帯域量よりも大きいと、更新不可と判定する。
【０１３４】
本実施例では、発信側更新可否判定部２６により、発信側削減帯域データの示す帯域量が第二発信側閾値データの示す帯域量よりも小さいことから、更新可と判定されることとする。
【０１３５】
発信側データ更新部２７は、発信側更新可否判定部２６が更新可と判定すると、記憶部２２の使用帯域データの更新を行うと共に、方式変更状況データを「変更中」から「未変更」に更新する。
【０１３６】
尚、発信側更新可否判定部２６が更新不可と判定すると、メモリの切断要求情報に付与されているコーデック方式データ（Ｇ．７２９）に基づいて、記憶部２２の方式帯域量対応テーブルを参照し、対応する帯域量データを特定すると共に、特定された帯域量データが示す帯域量を使用帯域データから減算して使用帯域データのみを更新する。
【０１３７】
発信側中継通信部２５は、発信側データ更新部２７が記憶部２２を更新すると、メモリの切断要求情報を呼制御装置１０に送信する。
【０１３８】
呼制御装置１０の制御部１１は、切断要求情報を受信すると、切断要求情報を装置特定部１４に転送する。
【０１３９】
装置特定部１４は、切断要求情報を受けると、付与されている端末識別データに基づいて、記憶部１２の端末装置間対応リストデータを参照し、対応する装置識別データを特定する。即ち、本実施例では、アクセスポイント装置３０を示す装置識別データが特定される。
【０１４０】
制御部１１は、装置特定部１４が装置識別データを特定すると、特定された装置識別データ及び切断要求情報を通信制御部１６に転送する。
【０１４１】
通信制御部１６は、装置識別データ及び切断要求情報を受けると、装置識別データに基づくアクセスポイント装置に対して切断要求情報を送信する。即ち、アクセスポイント装置３０に対して切断要求情報が送信される。
【０１４２】
アクセスポイント装置３０の制御部３１は、切断要求情報を受信すると、切断要求情報を図示しないメモリに一時格納すると共に、切断要求された無線端末の使用していた帯域量を除く全帯域量を示す着信側削減帯域データを取得すべく、切断要求情報を着信側帯域取得部３３に出力する。
【０１４３】
着信側帯域取得部３３は、図示しないメモリに下記着信側削減帯域量算出式を保持している。
【０１４４】
着信側削減帯域量算出式＝ＳＴ−ＢＴ・・・（４）
【０１４５】
但し、ＳＴ：使用帯域データ、ＢＴ：切断対象の無線端末が使用していた帯域量データ。
【０１４６】
着信側帯域取得部３３は、切断要求情報を受けると、まず、切断要求情報に付与されたコーデック方式データに基づいて、記憶部３２の方式帯域量対応テーブルを参照し、対応する帯域量データを特定すると共に、記憶部３２から使用帯域データを取得する。そして、着信側帯域取得部３３は、特定した帯域量データ及び取得した使用帯域データを上記式（４）に適用し、着信側削減帯域データを取得する。
【０１４７】
着信側更新可否判定部３６は、使用する帯域量に応じて方式変更状況データの更新可否を判定する部であり、着信側帯域取得部３３が着信側削減帯域データを取得すると、まず、着信側削減帯域データと記憶部３２の第二着信側閾値データとを比較し、着信側削減帯域データの示す帯域量が第二着信側閾値データの示す帯域量よりも小さいと、更新可と判定し、着信側削減帯域データの示す帯域量が第二着信側閾値データの示す帯域量よりも大きいと、更新不可と判定する。
【０１４８】
本実施例では、着信側更新可否判定部３６により、着信側削減帯域データの示す帯域量が第二着信側閾値データの示す帯域量よりも小さいことから、更新可と判定されることとする。
【０１４９】
着信側データ更新部３７は、着信側更新可否判定部３６が更新可と判定すると、記憶部３２の使用帯域データを更新すると共に、方式変更状況データを「変更中」から「未変更」に更新する。
【０１５０】
着信側中継通信部３５は、着信側データ更新部３７が使用帯域データ及び方式変更状況データを更新すると、メモリの切断要求情報を他の無線端末５０に送信すると共に、無線通信中の各無線端末６０が使用している変更後のコーデック方式（Ｇ．７２９）を変更前のコーデック方式（Ｇ．７１１）に変更すべく、変更解除指示情報を呼制御装置１０に送信する。
【０１５１】
呼制御装置１０の制御部１１は、変更解除指示情報を受信すると、記憶部１２の通信方式管理テーブルを参照し、現在無線通信中の各無線端末６０を示す端末識別データを取得する毎に、取得した端末識別データを装置特定部１４に転送する。
【０１５２】
装置特定部１４は、取得された現在無線通信中の無線端末６０を示す端末識別データを受ける毎に、記憶部１２の端末装置間対応リストデータを参照し、現在無線通信中の各無線端末６０に対応する装置識別データを特定する。
【０１５３】
本実施例では、各無線端末６０に対して、アクセスポイント装置２０及びアクセスポイント装置３０のいずれかを示す装置識別データが特定される。
【０１５４】
制御部１１は、装置特定部１４が装置識別データを特定する毎に、特定された装置識別データ及び現在の無線通信の保留を指示する保留指示信号を通信制御部１６に転送する。
【０１５５】
通信制御部１６は、装置識別データ及び保留指示信号を受けると、装置識別データに基づくアクセスポイント装置に対して保留指示信号を送信する。即ち、本実施例では、アクセスポイント装置２０及びアクセスポイント装置３０のいずれかに対して保留指示信号が送信される。
【０１５６】
アクセスポイント装置２０及びアクセスポイント装置３０の制御部２１、３１は、それぞれ保留指示信号を受信すると、保留指示信号を発信側中継通信部２５、着信側中継通信部３５を介して各無線端末６０に対して保留指示信号を送信する。
【０１５７】
各無線端末６０の制御部６１は、アクセスポイント装置２０及びアクセスポイント装置３０のいずれかから保留指示信号を受信すると、保留指示信号を保留制御部６５に転送する。
【０１５８】
保留制御部６５は、保留指示信号を受けると、無線通信を保留すると共に、使用していたコーデック方式を示すコーデック方式データを付与した保留応答情報を発信元であるアクセスポイント装置２０及びアクセスポイント装置３０のいずれかに送信する。
【０１５９】
アクセスポイント装置２０及びアクセスポイント装置３０の制御部２１、３１は、それぞれ保留応答情報を受信すると、発信側中継通信部２５、着信側中継通信部３５を介して保留応答情報を呼制御装置１０に送信する。
【０１６０】
呼制御装置１０の制御部１１は、各無線端末６０から保留応答情報を受信する毎に、保留応答情報を変更制御部１５に送信する。
【０１６１】
変更制御部１５は、保留応答情報を受ける毎に、変更後のコーデック方式を変更前のコーデック方式に変更すべく、付与されているコーデック方式データに基づいて、記憶部１２の方式変更解除対応テーブルを参照し、変更対象となる使用帯域の大きい符号化データを特定すると共に、特定されたコーデック方式データを付与した保留解除指示情報を生成する。
【０１６２】
制御部１１は、変更制御部１５が保留解除指示情報を生成する毎に、生成された保留解除指示情報を通信制御部１６に転送する。
【０１６３】
即ち、保留応答情報にＧ．７２９（＝８ｋ）を示すコーデック方式データが付与されていることから、変更制御部１５は、コーデック方式データＧ．７２９（＝８ｋ）に基づいて、記憶部１２の方式変更対応テーブルを参照し、使用帯域の大きいＧ．７１１（＝６４ｋ）を示すコーデック方式データを特定すると共に、特定したＧ．７１１（＝６４ｋ）を示すコーデック方式データを付与した保留解除指示情報を生成する。
【０１６４】
制御部１１は、変更制御部１５が保留解除指示情報を生成する毎に、保留解除指示情報をアクセスポイント装置に対して送信する。即ち、本実施例では、保留応答情報を中継したアクセスポイント装置２０及びアクセスポイント装置３０のいずれかに対してＧ．７１１（＝６４ｋ）を付与した保留解除指示情報が送信される。
【０１６５】
アクセスポイント装置２０及びアクセスポイント装置３０の制御部２１、３１は、それぞれ保留解除指示情報を受信すると、保留解除指示情報を発信側中継通信部２５、着信側中継通信部３５を介して各無線端末６０に対して送信する。
【０１６６】
各無線端末６０の制御部６１は、保留解除指示情報を受信すると、付与されているコーデック方式データを方式設定部６４に転送する。
【０１６７】
方式設定部６４は、使用すべきコーデック方式をコーデック部６２に設定する部であり、コーデック方式データを受けると、該コーデック方式データに基づいたコーデック方式をコーデック部６２に設定する。
【０１６８】
制御部６１は、方式設定部６４がコーデック方式をコーデック部６２に設定すると、設定が完了したことを示す設定完了信号を保留制御部６５に転送し、設定完了信号を受けた保留制御部６５は、保留中である無線通信の保留を解除する。以降、各無線端末６０は、使用していたコーデック方式よりも使用帯域の大きい変更前のコーデック方式により無線通信を継続させることができる。
【０１６９】
一方、他の無線端末５０の制御部５１は、切断要求情報を受信すると、通信の切断を検知し、切断要求情報を受信したことを示す切断応答情報を着信側通信部５４に転送し、着信側通信部５４は、受け付けた切断応答情報をアクセスポイント装置３０に送信する。
【０１７０】
アクセスポイント装置３０の制御部３１は、切断応答情報を受信すると、切断応答情報を着信側中継通信部３５に転送し、着信側中継通信部３５は、受け付けた切断応答情報を呼制御装置１０に送信する。
【０１７１】
呼制御装置１０の制御部１１は、切断応答情報を受信すると、切断応答情報を通信制御部１６に転送し、通信制御部１６は、受け付けた切断応答情報を他の無線端末４０に送信し、他の無線端末４０が切断応答情報を受信すると、他の無線端末４０と他の無線端末５０間における通信の切断が完了する。
【０１７２】
尚、着信側データ更新部３７は、着信側更新可否判定部３６が更新不可と判定すると、メモリの切断要求情報に付与されているコーデック方式データに基づいて、記憶部３２の方式帯域量対応テーブルを参照し、対応する帯域量データを特定すると共に、特定された帯域量データが示す帯域量を使用帯域データから減算して使用帯域データのみを更新する。
【０１７３】
着信側中継通信部３５は、着信側データ更新部３７が使用帯域データのみを更新すると、メモリの切断要求情報を他の無線端末５０に送信する。
【０１７４】
他の無線端末５０の制御部５１は、上記と同様に、切断要求情報を受信すると、通信の切断を検知し、切断要求情報を受信したことを示す切断応答情報を着信側通信部５４に転送し、着信側通信部５４は、受け付けた切断応答情報をアクセスポイント装置３０に送信し、アクセスポイント装置３０の制御部３１は、切断応答情報を受信すると、切断応答情報を着信側中継通信部３５に転送し、着信側中継通信部３５は、受け付けた切断応答情報を呼制御装置１０に送信する。
【０１７５】
呼制御装置１０の制御部１１は、切断応答情報を受信すると、切断応答情報を通信制御部１６に転送し、通信制御部１６は、受け付けた切断応答情報を他の無線端末４０に送信し、他の無線端末４０が切断応答情報を受信すると、他の無線端末４０と他の無線端末５０間における通信の切断が完了する。
【０１７６】
このように、アクセスポイント装置２０において、発信側帯域データが第二発信側閾値データより大きく、かつアクセスポイント装置３０において、着信側帯域データが第二着信側閾値データより大きい場合、現在無線通信中の各無線端末６０の無線通信を保留すると共に、保留中の各無線端末６０が使用しているコーデック方式を、より使用帯域の大きい変更前のコーデック方式に変更すると共に、変更後、保留中の無線通信の保留を解除し、各無線端末６０に変更前のコーデック方式を使用して無線通信を継続させるようにしたので、各無線端末６０は、コーデック方式変更前の音声品質でアクセスポイント装置２０及び３０を介して無線通信を継続させることができる。
【０１７７】
〈実施例の動作〉
以下、複数の無線端末６０と無線通信しているアクセスポイント装置２０に対して、他の無線端末４０が他の無線端末５０と無線通信すべく、Ｇ．７１１のコーデック方式を示すコーデック方式データ及び他の無線端末５０を示す端末識別データを付与した発信要求情報を送信した場合に、他の無線端末４０、５０に対するコーデック方式及び無線通信中の各無線端末６０のコーデック方式がそれぞれ変更されるまでについて説明を行う。
【０１７８】
本実施例では、複数の無線端末６０がＧ．７１１のコーデック方式を使用して無線通信中であり、アクセスポイント装置２０の記憶部２２の方式変更状況データは「未変更」を示していることとする。また、アクセスポイント装置３０の記憶部３２の方式変更状況データも「未変更」を示していることとする。
【０１７９】
図２は、他の無線端末４０、５０に対するコーデック方式の変更動作フローチャートである。
【０１８０】
他の無線端末４０の制御部４１は、発信者が図示しない入力部を介して、他の無線端末５０の電話番号を示す端末識別データ及びＧ．７１１のコーデック方式を示すコーデック方式データを入力し、発信要求を指示すると、端末識別データ及びコーデック方式データを発信側通信部４４に転送する。
【０１８１】
発信側通信部４４は、端末識別データ及びコーデック方式データを受けると、端末識別データ及びコーデック方式データを付与した発信要求情報をアクセスポイント装置２０に送信する（Ｓ１）。
【０１８２】
アクセスポイント装置２０の制御部２１は、発信要求情報を受信すると、発信要求情報を図示しないメモリに一時格納すると共に、新規に発信要求を行った無線端末を含めた通信に必要な全帯域量を示す発信側帯域データを取得すべく、発信要求情報を発信側帯域取得部２３に転送する。
【０１８３】
発信側帯域取得部２３は、発信要求情報を受けると、まず、発信要求情報に付与されたコーデック方式データ（Ｇ．７１１）に基づいて、記憶部２２の方式帯域量対応テーブルを参照し、対応する帯域量データを特定すると共に、記憶部２２から使用帯域データを取得する。そして、発信側帯域取得部２３は、特定した帯域量データ及び取得した使用帯域データを上記式（１）に適用し、発信側帯域データを取得する（Ｓ２）。
【０１８４】
発信側通信可否判定部２４は、発信側帯域取得部２３が発信側帯域データを取得すると、まず、記憶部２２の方式変更状況データを参照し、発信側帯域データと比較すべき閾値データ（＝第一発信側閾値データまたは第二発信側閾値データ）を決定する。即ち、方式変更状況データが「未変更」を示していると、帯域データの比較対象を第一発信側閾値データと決定し、「変更中」を示していると、比較対象を第二発信側閾値データと決定する（Ｓ３）。
【０１８５】
本実施例では、方式変更状況データが「未変更」を示していることから、帯域データの比較対象が第一発信側閾値データと決定される。
【０１８６】
発信側通信可否判定部２４が比較対象を第一発信側閾値データと決定すると、発信側帯域データと決定した第一発信側閾値データとの比較を開始し、発信側帯域データの示す帯域量が第一発信側閾値データの示す帯域量よりも小さいと、通信可と判定し、発信側帯域データの示す帯域量が第一発信側閾値データの示すそれよりも大きいと、Ｇ．７２９のコーデック方式変更により通信可と判定する（Ｓ７）。
【０１８７】
発信側データ更新部２７は、発信側通信可否判定部２４が通信可と判定すると、メモリの発信要求情報に付与されているコーデック方式データに基づいて、記憶部２２の方式帯域量対応テーブルを参照し、対応する帯域量データを特定すると共に、特定された帯域量データが示す帯域量を使用帯域データに加算して使用帯域データのみを更新する（Ｓ８）。
【０１８８】
一方、発信側通信可否判定部２４がＧ．７２９のコーデック方式変更により通信可と判定すると、発信側データ更新部２７は、記憶部２２の使用帯域データの更新を行うと共に、方式変更状況データを「未変更」から「変更中」に更新する（Ｓ１０）。
【０１８９】
発信側中継通信部２５は、発信側データ更新部２７が使用帯域データのみを更新すると、メモリの発信要求情報を呼制御装置１０に送信し（Ｓ９）、発信側データ更新部２７が使用帯域データ及び方式変更状況データを更新すると、コーデック方式の変更指示するための変更指示データを付与した発信要求情報を呼制御装置１０に送信する（Ｓ１１）。本実施例では、変更指示データが付与された発信要求情報が呼制御装置１０に送信される。
【０１９０】
尚、例えば、記憶部３２の方式変更状況データが「変更中」の場合に図示しない他の無線端末から、新たに発信要求がアクセスポイント装置２０に対して行われると、発信側通信可否判定部２４は、取得される発信側帯域データとの比較対象を第二発信側閾値データと決定すると共に、発信側帯域データと第二発信側閾値データとの比較を開始し、発信側帯域データの示す帯域量が第二発信側閾値データの示す帯域量よりも小さいと、通信可と判定し、発信側帯域データの示す帯域量が第二発信側閾値データの示す帯域量よりも大きいと、通信不可と判定する（Ｓ４）。
【０１９１】
発信側データ更新部２７は、発信側通信可否判定部２４が通信可と判定すると、発信要求情報に付与されているコーデック方式データに基づいて、記憶部２２の方式帯域量対応テーブルを参照し、対応する帯域量データを特定すると共に、特定された帯域量データが示す帯域量を使用帯域データに加算して使用帯域データのみを更新する（Ｓ５）。
【０１９２】
発信側中継通信部２５は、発信側データ更新部２７が使用帯域データのみを更新すると、受け付けた発信要求情報を呼制御装置１０に送信する（Ｓ９）。以降、従来と同様の無線通信制御が実行される。
【０１９３】
一方、通信不可と判定すると、従来と同様に、帯域不足により通信不可を示す通信不可データを発信元の他の無線端末に送信する（Ｓ６）。
【０１９４】
発信元の他の無線端末は、通信不可データを受信すると、例えば、図示しないスピーカ等の出力部を介して通信不可データに基づく音声出力等を行う。これにより、発信元の他の無線端末の利用者は、帯域不足により通信不可であることを把握することができる。
【０１９５】
呼制御装置１０の制御部１１は、発信要求情報を受信すると、まず、発信要求情報を変更要否判定部１３に転送する（Ｓ１２）。
【０１９６】
変更要否判定部１３は、受信した発信要求情報に変更指示データが付与されていると、コーデック方式の変更要と判定し、付与されていないと、変更不要と判定する（Ｓ１３）。本実施例では、変更指示データが付与された発信要求情報を受信することから、変更要否判定部１３は変更要と判定する。
【０１９７】
ここで、まず、他の無線端末４０及び５０に対するコーデック方式の変更制御が行われるまでについて説明を行う。
【０１９８】
制御部１１は、変更要否判定部１３が変更要と判定すると、発信要求情報を変更制御部１５に転送する（Ｓ１５）。
【０１９９】
変更制御部１５は、発信要求情報を受けると、発信要求情報に付与されているコーデック方式データに基づいて、記憶部１２の方式変更対応テーブルを参照し、変更対象となる使用帯域の少ない符号化データを特定すると共に、特定されたコーデック方式データを発信要求情報に付与する（Ｓ１６）。
【０２００】
即ち、本実施例では、発信要求情報にＧ．７１１（＝６４ｋ）を示すコーデック方式データが付与されていることから、変更制御部１５は、コーデック方式データ（Ｇ．７１１（＝６４ｋ））に基づいて、記憶部１２の方式変更対応テーブルを参照し、使用帯域の少ないＧ．７２９（＝８ｋ）を示すコーデック方式データを特定すると共に、特定したＧ．７２９（＝８ｋ）を示すコーデック方式データを発信要求情報に付与する。
【０２０１】
制御部１１は、変更制御部１５がコーデック方式データの変更を完了すると、該コーデック方式データが付与された発信要求情報を装置特定部１４に転送する（Ｓ１６）。
【０２０２】
尚、変更要否判定部１３がコーデック方式の変更不要と判定すると、制御部１１は、受け付けた発信要求情報を装置特定部１４に転送する（Ｓ１４）。
【０２０３】
装置特定部１４は、発信要求情報を受けると、発信要求情報に付与された端末識別データに基づいて、記憶部１２の端末装置間対応リストデータを参照し、対応する装置識別データを特定する（Ｓ１７）。
【０２０４】
本実施例では、他の無線端末５０を示す端末識別データが付与された発信要求情報を受信することから、アクセスポイント装置３０を示す装置識別データが特定される。
【０２０５】
制御部１１は、装置特定部１４が装置識別データを特定すると、特定された装置識別データ及び発信要求情報に付与されているコーデック方式データを通信制御部１６に転送する。
【０２０６】
通信制御部１６は、装置識別データ及びコーデック方式データを受けると、装置識別データに基づくアクセスポイント装置に対し、該コーデック方式データを付与した着信要求情報を送信する（Ｓ１８）。
【０２０７】
本実施例では、通信制御部１６により、コーデック方式データ（Ｇ．７２９）が付与された着信要求情報がアクセスポイント装置３０に送信される。
【０２０８】
アクセスポイント装置３０の制御部３１は、着信要求情報を受信すると、着信要求情報を図示しないメモリに一時格納すると共に、新規に発信要求を行った無線端末を含めた通信に必要な全帯域量を示す着信側帯域データを取得すべく、着信要求情報を着信側帯域取得部３３に転送する。
【０２０９】
着信側帯域取得部３３は、着信要求情報を受けると、まず、着信要求情報に付与されたコーデック方式データに基づいて、記憶部３２の方式帯域量対応テーブルを参照し、対応する帯域量データを特定すると共に、記憶部３２から使用帯域データを取得する。そして、着信側帯域取得部３３は、特定した帯域量データ及び取得した使用帯域データを上記式（２）に適用し、着信側帯域データを取得する（Ｓ１９）。
【０２１０】
着信側通信可否判定部３４は、着信側帯域取得部３３が着信側帯域データを取得すると、まず、記憶部３２の方式変更状況データを参照し、着信側帯域データと比較すべき閾値データ（＝第一着信側閾値データまたは第二着信側閾値データ）を決定する（Ｓ２０）。即ち、方式変更状況データが「未変更」を示していると、着信側帯域データの比較対象を第一着信側閾値データと決定し、「変更中」を示していると、比較対象を第二着信側閾値データと決定する。
【０２１１】
本実施例では、方式変更状況データが「未変更」を示していることから、比較対象が第一着信側閾値データと決定される。
【０２１２】
着信側通信可否判定部３４が比較対象を第一着信側閾値データと決定すると、着信側帯域データと決定した第一着信側閾値データとの比較を開始し、着信側帯域データの示す帯域量が第一着信側閾値データの示す帯域量よりも小さいと、通信可と判定し、着信側帯域データの示す帯域量が第一着信側閾値データの示す帯域量よりも大きいと、コーデック方式変更により通信可と判定する（Ｓ２１）。
【０２１３】
着信側データ更新部３７は、着信側通信可否判定部３４が通信可と判定すると、上記と同様に、使用帯域データのみを更新する（Ｓ２２）。
【０２１４】
着信側中継通信部３５は、着信側データ更新部３７が使用帯域データのみを更新すると、受信した着信要求情報を他の無線端末５０に送信する（Ｓ２９）。
【０２１５】
尚、着信側通信可否判定部３４がコーデック方式変更（Ｇ．７２９）により通信可と判定すると、上記と同様に、使用帯域データの更新を行うと共に、記憶部３２の方式変更状況データを「未変更」から「変更中」に更新する（Ｓ２３）。
【０２１６】
着信側中継通信部３５は、着信側データ更新部３７が記憶部３２の使用帯域データ及び方式変更状況データを更新すると、呼制御装置１０にコーデック方式の変更を指示すべく、メモリの着信要求情報に付与されたコーデック方式データを含む変更指示情報を呼制御装置１０に送信する。
【０２１７】
呼制御装置１０の制御部１１は、変更指示情報を受信すると、変更指示情報を変更制御部１５に転送する。
【０２１８】
変更制御部１５は、変更指示情報を受けると、変更指示情報に含まれているコーデック方式データに基づいて、記憶部１２の方式変更対応テーブルを参照し、変更対象となる使用帯域の少ない符号化データを特定すると共に、特定されたコーデック方式データを付与した着信要求情報を通信制御部１６に転送し、通信制御部１６は、受信した着信要求情報をアクセスポイント装置３０に送信し（Ｓ２５）、アクセスポイント装置３０の制御部３１は、着信要求情報を受信すると、受信した着信要求情報を他の無線端末５０に送信する（Ｓ２９）。
【０２１９】
本実施例では、着信側データ更新部３７が使用帯域データのみを更新することから、メモリのＧ．７２９のコーデック方式を示すコーデック方式データが付与された着信要求情報が他の無線端末５０に送信される。
【０２２０】
尚、例えば、記憶部３２の方式変更状況データが「変更中」の場合に図示しない他の無線端末から、新たに着信要求がアクセスポイント装置３０に対して行われると、着信側通信可否判定部３４は、取得される着信側帯域データとの比較対象を第二着信側閾値データと決定すると共に、着信側帯域データと第二着信側閾値データとの比較を開始し、着信側帯域データの示す帯域量が第二着信側閾値データの示す帯域量よりも小さいと、通信可と判定し、着信側帯域データの示す帯域量が第二着信側閾値データの示す帯域量よりも大きいと、通信不可と判定する（Ｓ２６）。
【０２２１】
着信側データ更新部３７は、着信側通信可否判定部３４が通信可と判定すると、着信要求情報に付与されているコーデック方式データに基づいて、記憶部３２の方式帯域量対応テーブルを参照し、対応する帯域量データを特定すると共に、特定された帯域量データが示す帯域量を使用帯域データに加算して使用帯域データのみを更新する（Ｓ２７）。
【０２２２】
着信側中継通信部３５は、着信側データ更新部３７が使用帯域データを更新すると、受け付けた着信要求情報を発信先となる他の無線端末に送信する（Ｓ２９）。以降、従来と同様の無線通信制御が実行される。
【０２２３】
一方、通信不可と判定すると、従来と同様に、帯域不足により通信不可を示す通信不可データを呼制御装置１０に送信する。
【０２２４】
呼制御装置１０の制御部１１は、通信不可データを受信すると、受信した通信不可データを通信制御部１６に転送し、通信制御部１６は、受信した通信不可データをアクセスポイント装置２０に送信する。
【０２２５】
アクセスポイント装置２０の制御部２１は、通信不可データを受信すると、受信した通信不可データを発信側中継通信部２５に転送し、発信側中継通信部２５は、受信した通信不可データを発信元の他の無線端末に送信する（Ｓ２８）。
【０２２６】
発信元の他の無線端末は、通信不可データを受信すると、例えば、図示しないスピーカ等の出力部を介して通信不可データに基づく音声出力等を行う。これにより、発信元の他の無線端末の利用者は、帯域不足により通信不可であることを把握することができる。
【０２２７】
他の無線端末５０の制御部５１は、着信要求情報を受信すると、着信要求情報に付与されたコーデック方式データ（Ｇ．７２９）を着信側方式設定部５５に転送する。
【０２２８】
着信側方式設定部５５は、コーデック方式データ（Ｇ．７２９）を受けると、図示しないメモリにコーデック方式データを一時格納すると共に、コーデック方式データに基づいたコーデック方式をコーデック部５３に設定する（Ｓ３０）。
【０２２９】
制御部５１は、着信側方式設定部５５がコーデック方式（Ｇ．７２９）をコーデック部５３に設定すると、メモリのコーデック方式データを着信側通信部５４に転送する。
【０２３０】
着信側通信部５４は、無線通信可能なアクセスポイント装置とのデータ通信を行う部であり、コーデック方式データ（Ｇ．７２９）を受けると、コーデック方式データを付与した着信応答情報をアクセスポイント装置３０に送信する（Ｓ３１）。
【０２３１】
アクセスポイント装置３０の制御部３１は、着信応答情報を受信すると、着信応答情報を着信側中継通信部３５に転送し、着信側中継通信部３５は、受信した着信応答情報を呼制御装置１０に送信する（Ｓ３２）。
【０２３２】
呼制御装置１０の制御部１１は、着信応答情報を受信すると、着信応答情報を通信制御部１６に転送し、通信制御部１６は、受信した着信応答情報をアクセスポイント装置２０に送信する（Ｓ３３）。
【０２３３】
アクセスポイント装置２０の制御部２１は、着信応答情報を受信すると、受信した着信応答情報を他の無線端末４０に送信する（Ｓ３４）。
【０２３４】
他の無線端末４０の制御部４１は、着信応答情報を受信すると、着信応答情報に付与されたコーデック方式データ（Ｇ．７２９）を発信側方式設定部４５に転送する。
【０２３５】
発信側方式設定部４５は、使用すべきコーデック方式をコーデック部４３に設定する部であり、コーデック方式データ（Ｇ．７２９）を受けると、コーデック方式データに基づいたコーデック方式（Ｇ．７２９）をコーデック部４３に設定する（Ｓ３５）。以降、他の無線端末４０は、コーデック部４３に設定されたコーデック方式（Ｇ．７２９）により、アクセスポイント装置２０を介して他の無線端末５０と無線通信を行うことができる。
【０２３６】
このように、アクセスポイント装置２０において、発信側帯域データが第一発信側閾値データよりも大きい場合、発信要求情報に付与されているコーデック方式データを、該コーデック方式データよりも使用帯域の少ないコーデック方式データに変更すると共に、アクセスポイント装置３０において、着信側帯域データが第一着信側閾値データよりも大きい場合、着信要求情報に付与されているコーデック方式データを、該コーデック方式データよりも使用帯域の少ないコーデック方式データに変更し、かつ他の無線端末４０及び５０のコーデック部４３、５３に対し、変更されたコーデック方式データが示すコーデック方式をそれぞれ設定するようにしたので、以降、他の無線端末４０及び他の無線端末５０がそれぞれ設定された使用帯域の少ないコーデック方式データが示すコーデック方式を使用することでアクセスポイント装置２０、３０を介して無線通信を行うことができる。
【０２３７】
引き続き、現在無線通信中である無線端末６０のコーデック方式の変更制御が行われるまでについて説明を行う。
【０２３８】
図３は、無線通信中の無線端末６０に対するコーデック方式の変更動作フローチャートである。
【０２３９】
呼制御装置１０の制御部１１は、上記したように無線端末４０、５０の接続制御を終了すると、引き続き、現在無線通信中の全ての無線端末６０に対して、使用しているコーデック方式の変更（Ｇ．７１１からＧ．７２９）を指示すべく、記憶部１２の通信方式管理テーブルを参照し、現在無線通信中の各無線端末６０を示す端末識別データを取得する毎に、取得した端末識別データを装置特定部１４に転送する。
【０２４０】
呼制御装置１０の装置特定部１４は、取得された現在無線通信中の無線端末６０を示す端末識別データを受ける毎に、記憶部１２の端末装置間対応リストデータを参照し、現在無線通信中の各無線端末６０に対応する装置識別データを特定する（Ｓ１）。
【０２４１】
本実施例では、各無線端末６０に対して、アクセスポイント装置２０及びアクセスポイント装置３０のいずれかを示す装置識別データが特定される。
【０２４２】
制御部１１は、装置特定部１４が装置識別データを特定する毎に、特定された装置識別データ及び現在の無線通信の保留を指示する保留指示信号を通信制御部１６に転送する。
【０２４３】
通信制御部１６は、装置識別データ及び保留指示信号を受けると、装置識別データに基づくアクセスポイント装置に対して保留指示信号を送信する。即ち、本実施例では、アクセスポイント装置２０及びアクセスポイント装置３０のいずれかに対して保留指示信号が送信される（Ｓ２）。
【０２４４】
アクセスポイント装置２０及びアクセスポイント装置３０の制御部２１、３１は、それぞれ保留指示信号を受信すると、発信側中継通信部２５、着信側中継通信部３５を介して各無線端末６０に対して保留指示信号を送信する（Ｓ３）。
【０２４５】
各無線端末６０の制御部６１は、アクセスポイント装置２０及びアクセスポイント装置３０のいずれかから保留指示信号を受信すると、保留指示信号を保留制御部６５に転送する。
【０２４６】
保留制御部６５は、保留指示信号を受けると、無線通信を保留すると共に、使用していたコーデック方式を示すコーデック方式データを付与した保留応答情報を発信元であるアクセスポイント装置２０及びアクセスポイント装置３０のいずれかに送信する（Ｓ４）。
【０２４７】
アクセスポイント装置２０及びアクセスポイント装置３０の制御部２１、３１は、それぞれ保留応答情報を受信すると、保留応答情報を発信側中継通信部２５、着信側中継通信部３５を介して呼制御装置１０に送信する（Ｓ５）。
【０２４８】
呼制御装置１０の制御部１１は、各無線端末６０から保留応答情報を受信する毎に、保留応答情報を変更制御部１５に送信する。
【０２４９】
変更制御部１５は、保留応答情報を受ける毎に、付与されているコーデック方式データに基づいて、記憶部１２の方式変更対応テーブルを参照し、変更対象となる使用帯域の少ない符号化データを特定すると共に、特定されたコーデック方式データを付与した保留解除指示情報を生成する（Ｓ６）。
【０２５０】
制御部１１は、変更制御部１５が保留解除指示情報を生成する毎に、生成された保留解除指示情報を通信制御部１６に転送する。
【０２５１】
即ち、本実施例では、保留応答情報にＧ．７１１（＝６４ｋ）を示すコーデック方式データが付与されていることから、変更制御部１５は、コーデック方式データ（Ｇ．７１１（＝６４ｋ））に基づいて、記憶部１２の方式変更対応テーブルを参照し、使用帯域の少ないＧ．７２９（＝８ｋ）を示すコーデック方式データを特定すると共に、特定したＧ．７２９（＝８ｋ）を示すコーデック方式データを付与した保留解除指示情報を生成する。
【０２５２】
制御部１１は、変更制御部１５が保留解除指示情報を生成する毎に、保留解除指示情報をアクセスポイント装置に対して送信する。即ち、本実施例では、保留応答情報を中継したアクセスポイント装置２０及びアクセスポイント装置３０のいずれかに対して保留解除指示情報が送信される（Ｓ７）。
【０２５３】
アクセスポイント装置２０及びアクセスポイント装置３０の制御部２１、３１は、それぞれ保留解除指示情報を受信すると、保留解除指示情報を発信側中継通信部２５、着信側中継通信部３５を介して各無線端末６０に対して送信する（Ｓ８）。
【０２５４】
各無線端末６０の制御部６１は、保留解除指示情報を受信すると、付与されているコーデック方式データを方式設定部６４に転送する。
【０２５５】
方式設定部６４は、コーデック方式データを受けると、該コーデック方式データに基づいたコーデック方式をコーデック部６２に設定する（Ｓ９）。
【０２５６】
制御部６１は、方式設定部６４がコーデック方式をコーデック部６２に設定すると、設定が完了したことを示す設定完了信号を保留制御部６５に転送し、設定完了信号を受けた保留制御部６５は、保留中である無線通信の保留を解除する（Ｓ１０）。以降、各無線端末６０は、使用していたコーデック方式（Ｇ．７１１）よりも使用帯域の少ないコーデック方式（Ｇ．７２９）により無線通信を継続させることができる。
【０２５７】
このように、アクセスポイント装置２０において、発信側帯域データが第一発信側閾値データを超える場合、現在無線通信中の各無線端末６０の無線通信を保留すると共に、保留中の各無線端末６０が使用しているコーデック方式を、より使用帯域が少ないコーデック方式に変更すると共に、変更後、保留中の無線通信の保留を解除するようにしたので、以降、各無線端末６０が変更後の使用帯域が少ないコーデック方式を使用して無線通信を継続させることで、アクセスポイント装置２０、３０が無線通信に使用していた帯域を削減することができる。従って、更に、新たな他の無線端末からの発信要求を受け付けることができる。
【０２５８】
引き続き、上記したように、変更されたコーデック方式を使用して無線通信をしている他の無線端末４０、他の無線端末５０、無線端末６０のコーデック方式が変更解除される場合について説明を行う。
【０２５９】
本実施例では、他の無線端末４０が他の無線端末５０との通信を切断すべく、アクセスポイント装置２０に対して、使用していたコーデック方式（Ｇ．７２９）を示すコーデック方式データ及び他の無線端末５０を示す端末識別データを付与した切断要求情報を送信した場合に無線通信中の複数の無線端末６０に対して使用中のコーデック方式（Ｇ．７２９）の変更が解除され、変更前のコーデック方式（Ｇ．７１１）が設定されるまでについて説明を行う。
【０２６０】
図４は、実施例１の無線通信システムの変更解除動作フローチャートである。
【０２６１】
アクセスポイント装置２０の制御部２１が、他の無線端末４０から、使用していたコーデック方式（Ｇ．７２９）を示すコーデック方式データ及び他の無線端末５０を示す端末識別データを付与した切断要求情報を受信すると（Ｓ１）、切断要求情報を図示しないメモリに一時格納すると共に、切断要求された無線端末の使用していた帯域量を除く全帯域量を示す発信側削減帯域データを取得すべく、切断要求情報を発信側帯域取得部２３に転送する。
【０２６２】
発信側帯域取得部２３は、切断要求情報を受けると、まず、切断要求情報に付与されたコーデック方式データに基づいて、記憶部２２の方式帯域量対応テーブルを参照し、対応する帯域量データを特定すると共に、記憶部２２から使用帯域データを取得する。そして、発信側帯域取得部２３は、特定した帯域量データ及び取得した使用帯域データを上記式（３）に適用し、発信側削減帯域データを取得する（Ｓ２）。
【０２６３】
発信側更新可否判定部２６は、発信側帯域取得部２３が発信側削減帯域データを取得すると、発信側削減帯域データと記憶部２２の第二発信側閾値データとを比較し、発信側削減帯域データの示す帯域量が第二発信側閾値データの示す帯域量よりも小さいと、更新可と判定し、発信側削減帯域データの示す帯域量が第二発信側閾値データの示す帯域量よりも大きいと、更新不可と判定する（Ｓ３）。
【０２６４】
本実施例では、発信側更新可否判定部２６により、発信側削減帯域データの示す帯域量が第二発信側閾値データの示す帯域量よりも小さいことから、更新可と判定されることとする。
【０２６５】
発信側データ更新部２７は、発信側更新可否判定部２６が更新可と判定すると、記憶部２２の使用帯域データの更新を行うと共に、方式変更状況データを「変更中」から「未変更」に更新する（Ｓ５）。
【０２６６】
尚、発信側更新可否判定部２６が更新不可と判定すると、メモリの切断要求情報に付与されているコーデック方式データ（Ｇ．７２９）に基づいて、記憶部２２の方式帯域量対応テーブルを参照し、対応する帯域量データを特定すると共に、特定された帯域量データが示す帯域量を使用帯域データから減算して使用帯域データのみを更新する（Ｓ４）。
【０２６７】
発信側中継通信部２５は、発信側データ更新部２７が記憶部２２を更新すると、メモリの切断要求情報を呼制御装置１０に送信する（Ｓ６）。
【０２６８】
呼制御装置１０の制御部１１は、切断要求情報を受信すると、切断要求情報を装置特定部１４に転送する。
【０２６９】
装置特定部１４は、切断要求情報を受けると、付与されている端末識別データに基づいて、記憶部１２の端末装置間対応リストデータを参照し、対応する装置識別データを特定する（Ｓ７）。即ち、本実施例では、アクセスポイント装置３０を示す装置識別データが特定される。
【０２７０】
制御部１１は、装置特定部１４が装置識別データを特定すると、特定された装置識別データ及び切断要求情報を通信制御部１６に転送する。
【０２７１】
通信制御部１６は、装置識別データ及び切断要求情報を受けると、装置識別データに基づくアクセスポイント装置に対して切断要求情報を送信する（Ｓ８）。即ち、アクセスポイント装置３０に対して切断要求情報が送信される。
【０２７２】
アクセスポイント装置３０の制御部３１は、切断要求情報を受信すると（Ｓ９）、切断要求情報を図示しないメモリに一時格納すると共に、切断要求された無線端末の使用していた帯域量を除く全帯域量を示す着信側削減帯域データを取得すべく、切断要求情報を着信側帯域取得部３３に出力する。
【０２７３】
着信側帯域取得部３３は、切断要求情報を受けると、まず、切断要求情報に付与されたコーデック方式データに基づいて、記憶部３２の方式帯域量対応テーブルを参照し、対応する帯域量データを特定すると共に、記憶部３２から使用帯域データを取得する。そして、着信側帯域取得部３３は、特定した帯域量データ及び取得した使用帯域データを上記式（４）に適用し、着信側削減帯域データを取得する（Ｓ１０）。
【０２７４】
着信側更新可否判定部３６は、着信側帯域取得部３３が着信側削減帯域データを取得すると、まず、着信側削減帯域データと記憶部３２の第二着信側閾値データとを比較し、着信側削減帯域データの示す帯域量が第二着信側閾値データの示す帯域量よりも小さいと、更新可と判定し、着信側削減帯域データの示す帯域量が第二着信側閾値データの示す帯域量よりも大きいと、更新不可と判定する（Ｓ１１）。
【０２７５】
本実施例では、着信側更新可否判定部３６により、着信側削減帯域データの示す帯域量が第二着信側閾値データの示す帯域量よりも小さいことから、更新可と判定されることとする。
【０２７６】
着信側データ更新部３７は、着信側更新可否判定部３６が更新可と判定すると、記憶部３２の使用帯域データを更新すると共に、方式変更状況データを「変更中」から「未変更」に更新する（Ｓ１３）。
【０２７７】
着信側中継通信部３５は、着信側データ更新部３７が使用帯域データ及び方式変更状況データを更新すると、メモリの切断要求情報を他の無線端末５０に送信すると共に、無線通信中の各無線端末６０が使用している変更後のコーデック方式（Ｇ．７２９）を変更前のコーデック方式（Ｇ．７１１）に変更すべく、変更解除指示情報を呼制御装置１０に送信する（Ｓ１５）。
【０２７８】
呼制御装置１０の制御部１１は、変更解除指示情報を受信すると、記憶部１２の通信方式管理テーブルを参照し、現在無線通信中の各無線端末６０を示す端末識別データを取得する毎に、取得した端末識別データを装置特定部１４に転送する。
【０２７９】
装置特定部１４は、取得された現在無線通信中の無線端末６０を示す端末識別データを受ける毎に、記憶部１２の端末装置間対応リストデータを参照し、現在無線通信中の各無線端末６０に対応する装置識別データを特定する（Ｓ１９）。
【０２８０】
本実施例では、各無線端末６０に対して、アクセスポイント装置２０及びアクセスポイント装置３０のいずれかを示す装置識別データが特定される。
【０２８１】
制御部１１は、装置特定部１４が装置識別データを特定する毎に、特定された装置識別データ及び現在の無線通信の保留を指示する保留指示信号を通信制御部１６に転送する。
【０２８２】
通信制御部１６は、装置識別データ及び保留指示信号を受けると、装置識別データに基づくアクセスポイント装置に対して保留指示信号を送信する（Ｓ２０）。即ち、本実施例では、アクセスポイント装置２０及びアクセスポイント装置３０のいずれかに対して保留指示信号が送信される。
【０２８３】
アクセスポイント装置２０及びアクセスポイント装置３０の制御部２１、３１は、それぞれ保留指示信号を受信すると、保留指示信号を発信側中継通信部２５、着信側中継通信部３５を介して各無線端末６０に対して保留指示信号を送信する（Ｓ２１）。
【０２８４】
各無線端末６０の制御部６１は、アクセスポイント装置２０及びアクセスポイント装置３０のいずれかから保留指示信号を受信すると、保留指示信号を保留制御部６５に転送する。
【０２８５】
保留制御部６５は、保留指示信号を受けると、無線通信を保留すると共に、使用していたコーデック方式を示すコーデック方式データを付与した保留応答情報を発信元であるアクセスポイント装置２０及びアクセスポイント装置３０のいずれかに送信する（Ｓ２２）。
【０２８６】
アクセスポイント装置２０及びアクセスポイント装置３０の制御部２１、３１は、それぞれ保留応答情報を受信すると、保留応答情報を発信側中継通信部２５、着信側中継通信部３５を介して呼制御装置１０に送信する（Ｓ２３）。
【０２８７】
呼制御装置１０の制御部１１は、各無線端末６０から保留応答情報を受信する毎に、保留応答情報を変更制御部１５に送信する。
【０２８８】
変更制御部１５は、保留応答情報を受ける毎に、変更後のコーデック方式を変更前のコーデック方式に変更すべく、付与されているコーデック方式データに基づいて、記憶部１２の方式変更解除対応テーブルを参照し、変更対象となる使用帯域の大きい符号化データを特定すると共に、特定されたコーデック方式データを付与した保留解除指示情報を生成する（Ｓ２４）。
【０２８９】
制御部１１は、変更制御部１５が保留解除指示情報を生成する毎に、生成された保留解除指示情報を通信制御部１６に転送する。
【０２９０】
即ち、保留応答情報にＧ．７２９（＝８ｋ）を示すコーデック方式データが付与されていることから、変更制御部１５は、コーデック方式データＧ．７２９（＝８ｋ）に基づいて、記憶部１２の方式変更対応テーブルを参照し、使用帯域の大きいＧ．７１１（＝６４ｋ）を示すコーデック方式データを特定すると共に、特定したＧ．７１１（＝６４ｋ）を示すコーデック方式データを付与した保留解除指示情報を生成する。
【０２９１】
制御部１１は、変更制御部１５が保留解除指示情報を生成する毎に、保留解除指示情報をアクセスポイント装置に対して送信する。即ち、本実施例では、保留応答情報を中継したアクセスポイント装置２０及びアクセスポイント装置３０のいずれかに対してＧ．７１１（＝６４ｋ）を付与した保留解除指示情報が送信される（Ｓ２５）。
【０２９２】
アクセスポイント装置２０及びアクセスポイント装置３０の制御部２１、３１は、それぞれ保留解除指示情報を受信すると、保留解除指示情報を発信側中継通信部２５、着信側中継通信部３５を介して各無線端末６０に対して送信する（Ｓ２６）。
【０２９３】
各無線端末６０の制御部６１は、保留解除指示情報を受信すると、付与されているコーデック方式データを方式設定部６４に転送する。
【０２９４】
方式設定部６４は、使用すべきコーデック方式をコーデック部６２に設定する部であり、コーデック方式データを受けると、該コーデック方式データに基づいたコーデック方式をコーデック部６２に設定する（Ｓ２７）。
【０２９５】
制御部６１は、方式設定部６４がコーデック方式をコーデック部６２に設定すると、設定が完了したことを示す設定完了信号を保留制御部６５に転送し、設定完了信号を受けた保留制御部６５は、保留中である無線通信の保留を解除する（Ｓ２８）。以降、各無線端末６０は、使用していたコーデック方式よりも使用帯域の大きい変更前のコーデック方式により無線通信を継続させることができる。
【０２９６】
一方、他の無線端末５０の制御部５１は、切断要求情報を受信すると、通信の切断を検知し、切断要求情報を受信したことを示す切断応答情報を着信側通信部５４に転送し、着信側通信部５４は、受け付けた切断応答情報をアクセスポイント装置３０に送信する（Ｓ１６）。
【０２９７】
アクセスポイント装置３０の制御部３１は、切断応答情報を受信すると、切断応答情報を着信側中継通信部３５に転送し、着信側中継通信部３５は、受け付けた切断応答情報を呼制御装置１０に送信する（Ｓ１７）。
【０２９８】
呼制御装置１０の制御部１１は、切断応答情報を受信すると、切断応答情報を通信制御部１６に転送し、通信制御部１６は、受け付けた切断応答情報を他の無線端末４０に送信し（Ｓ１８）、他の無線端末４０が切断応答情報を受信すると、他の無線端末４０と他の無線端末５０間における通信の切断が完了する。
【０２９９】
尚、着信側データ更新部３７は、着信側更新可否判定部３６が更新不可と判定すると、メモリの切断要求情報に付与されているコーデック方式データに基づいて、記憶部３２の方式帯域量対応テーブルを参照し、対応する帯域量データを特定すると共に、特定された帯域量データが示す帯域量を使用帯域データから減算して使用帯域データのみを更新する（Ｓ１２）。
【０３００】
着信側中継通信部３５は、着信側データ更新部３７が使用帯域データのみを更新すると、メモリの切断要求情報を他の無線端末５０に送信する（Ｓ１４）。
【０３０１】
他の無線端末５０の制御部５１は、上記と同様に、切断要求情報を受信すると、通信の切断を検知し、切断要求情報を受信したことを示す切断応答情報を着信側通信部５４に転送し、着信側通信部５４は、受け付けた切断応答情報をアクセスポイント装置３０に送信し、アクセスポイント装置３０の制御部３１は、切断応答情報を受信すると、切断応答情報を着信側中継通信部３５に転送し、着信側中継通信部３５は、受け付けた切断応答情報を呼制御装置１０に送信する（Ｓ１７）。
【０３０２】
呼制御装置１０の制御部１１は、切断応答情報を受信すると、切断応答情報を通信制御部１６に転送し、通信制御部１６は、受け付けた切断応答情報を他の無線端末４０に送信し、他の無線端末４０が切断応答情報を受信すると、他の無線端末４０と他の無線端末５０間における通信の切断が完了する（Ｓ１８）。
【０３０３】
このように、アクセスポイント装置２０において、発信側帯域データが第二発信側閾値データより大きく、かつアクセスポイント装置３０において、着信側帯域データが第二着信側閾値データより大きい場合、現在無線通信中の各無線端末６０の無線通信を保留すると共に、保留中の各無線端末６０が使用しているコーデック方式を、より使用帯域の大きい変更前のコーデック方式に変更すると共に、変更後、保留中の無線通信の保留を解除し、各無線端末６０に変更前のコーデック方式を使用して無線通信を継続させるようにしたので、各無線端末６０は、コーデック方式変更前の音声品質でアクセスポイント装置２０及び３０を介して無線通信を継続させることができる。
【０３０４】
〈実施例の効果〉
本実施例の無線通信システムでは、他の無線端末４０がコーデック方式データを付与した発信要求情報をアクセスポイント装置２０に送信し、発信要求情報を受信したアクセスポイント装置２０において、他の無線端末４０を含めた通信に必要な帯域量を示す発信側帯域データが各無線端末のコーデック方式の変更をすべきか否かを判定するための閾値となる帯域量を示す第一発信側閾値データを超える場合、発信要求情報に付与されているコーデック方式データを、該コーデック方式データよりも使用帯域の少ないコーデック方式データに変更すると共に、着信要求情報を受信したアクセスポイント装置３０において、他の無線端末４０を含めた通信に必要な帯域量を示す着信側帯域データが各無線端末のコーデック方式の変更をすべきか否かを判定するための閾値となる帯域量を示す第一着信側閾値データを超える場合、着信要求情報に付与されているコーデック方式データを、該コーデック方式データよりも使用帯域の少ないコーデック方式データに変更し、かつ他の無線端末４０及び５０のコーデック部４３、５３に対し、変更されたコーデック方式データが示すコーデック方式を設定するようにしたので、他の無線端末４０及び他の無線端末５０は、設定されたコーデック方式を使用することで、発信要求時に、要求先のアクセスポイント装置２０、３０が帯域量に応じて決定される許容数の無線端末６０と無線通信している場合であっても、アクセスポイント装置２０、３０を介した無線通信を行うことができる。
【０３０５】
また、アクセスポイント装置２０において、発信側帯域データが第一発信側閾値データを超える場合、現在無線通信中の各無線端末６０の無線通信を保留すると共に、保留中の各無線端末６０が使用しているコーデック方式を、より使用帯域が少ないコーデック方式に変更すると共に、変更後、保留中の無線通信の保留を解除するようにしたので、以降、各無線端末６０が変更後のコーデック方式を使用して無線通信を継続させることで、アクセスポイント装置２０、３０が無線通信に使用していた帯域を削減することができる。従って、更に、新たな他の無線端末からの発信要求を受け付けることができる利便性の高い無線通信システムを提供することができる。
【産業上の利用可能性】
【０３０６】
上記実施例では、コーデック方式データの変更例として、Ｇ．７１１（＝６４ｋ）からＧ．７２９（＝８ｋ）への変更について説明を行ったが、これに限られることはなく、入力されたコーデック方式データが示すコーデック方式より使用する通信帯域が少ないコーデック方式に変更する構成であれば、例えば、Ｇ．７２３．１（＝６．３ｋ）、Ｇ．７２６（＝２４ｋ）、Ｇ．７２６（＝１４ｋ）等のどのようなコーデック方式に変更してもよい。
【０３０７】
上記実施例では、アクセスポイント装置２０が他の無線端末４０から発信要求を受けた際に、無線通信中の無線端末のコーデック方式を変更する構成であったが、これに限られることはなく、アクセスポイント装置２０が所定のタイミングで、発信側通信可否判定部に発信側帯域データ及び第一発信側閾値データによる判定を行わせ、判定結果に応じてコーデック方式の変更を行う構成としてもよい。
【０３０８】
上記実施例では、アクセスポイント装置２０が切断要求情報を受けた際に、無線通信中の無線端末のコーデック方式を変更解除する構成であったが、これに限られることはなく、アクセスポイント装置２０が所定のタイミングで、発信側通信可否判定部に発信側帯域データ及び第一発信側閾値データによる判定を行わせ、判定結果に応じて、コーデック方式の変更解除を行う構成としてもよい。
【図面の簡単な説明】
【０３０９】
【図１】本発明の無線通信システムを示すブロック構成図
【図２】他の無線端末４０、５０に対するコーデック方式の変更動作フローチャート
【図３】無線通信中の無線端末６０に対するコーデック方式の変更動作フローチャート
【図４】実施例１の無線通信システムの変更解除動作フローチャート
【符号の説明】
【０３１０】
１０  呼制御装置
１１  制御部
１２  記憶部
１３  変更要否判定部
１４  装置特定部
１５  変更制御部
１６  通信制御部
２０  アクセスポイント装置
２１  制御部
２２  記憶部
２３  発信側帯域取得部
２４  発信側通信可否判定部
２５  発信側中継通信部
２６  発信側更新可否判定部
２７  発信側データ更新部
３０  アクセスポイント装置
３１  制御部
３２  記憶部
３３  着信側帯域取得部
３４  着信側通信可否判定部
３５  着信側中継通信部
３６  着信側更新可否判定部
３７  着信側データ更新部
４０  他の無線端末
４１  制御部
４２  記憶部
４３  コーデック部
４４  発信側通信部
４５  発信側方式設定部
５０  他の無線端末
５１  制御部
５２  記憶部
５３  コーデック部
５４  着信側通信部
５５  着信側方式設定部
６０  無線端末
６１  制御部
６２  コーデック部
６３  通信部
６４  方式設定部
６５  保留制御部
８０  ネットワーク
【図１】
2007208829.tif 000003
【図２】
2007208829.tif 000004
【図３】
2007208829.tif 000005
【図４】
2007208829.tif 000006